(57)【要約】  技術は、モバイル支援リバースリンク干渉管理のために提供される。例えば、モバイル支援リバースリンク（ＲＬ）干渉管理を提供するため方法は、ユーザデバイスに少なくとも１つのパイロット強度測定値を要求することを含む。方法は、要求に応答して、ユーザデバイスから少なくとも１つのマクロセルパイロット強度測定値またはフェムトセルパイロット強度測定値あるいはビーコン強度測定値を受信することを含みうる。方法は、少なくとも１つのマクロセルパイロット強度測定値またはフェムトセルパイロット強度測定値あるいはビーコン強度測定値の少なくとも一部に基づいてユーザデバイスのためのデータレート割り当てを決定することを含みうる。方法は、ユーザデバイスにデータレート割り当てを送信することによって、ユーザデバイスが少なくとも１つの非サービングセルに対して生じるＲＬ干渉を制御することを含みうる。
2014514803.tif 000002
【特許請求の範囲】
【請求項１】
モバイル支援されたリバースリンク（ＲＬ）干渉管理を提供するための方法であって、
ユーザデバイスに少なくとも１つのパイロット強度測定値を要求することと、
前記要求に応答して、前記ユーザデバイスから少なくとも１つのマクロセルパイロット強度測定値またはフェムトセルパイロット強度測定値あるいはビーコン強度測定値を受信することと、
前記少なくとも１つのマクロセルパイロット強度測定値またはフェムトセルパイロット強度測定値あるいはビーコン強度測定値の少なくとも一部に基づいて前記ユーザデバイスのためのデータレート割り当てを決定することと、
前記ユーザデバイスに前記データレート割り当てを送信することによって、前記ユーザデバイスが少なくとも１つの非サービングセルに対して生じるＲＬ干渉を制御することと
を備える、方法。
【請求項２】
前記非サービングセルは、マクロセルを備える、
請求項１に記載の方法。
【請求項３】
前記決定することは、ライズオーバサーマル（ＲｏＴ）またはノイズライズ（ＮＲ）のうちの少なくとも１つを備えるしきい値の少なくとも一部に基づいて前記データレート割り当てを決定することをさらに備える、
請求項１に記載の方法。
【請求項４】
前記要求は、セル外干渉またはしきい値を超えるＲｏＴのうちの少なくとも１つを備えるトリガイベントに基づく、
請求項１に記載の方法。
【請求項５】
モバイル支援されたリバースリンク（ＲＬ）干渉管理を提供するためのアクセスポイントであって、
ユーザデバイスに少なくとも１つのパイロット強度測定値を要求するように構成された要求モジュールと、
前記要求に応答して、前記ユーザデバイスから少なくとも１つのマクロセルパイロット強度測定値またはフェムトセルパイロット強度測定値あるいはビーコン強度測定値を受信するように構成された受信モジュールと、
前記少なくとも１つのマクロセルパイロット強度測定値またはフェムトセルパイロット強度測定値あるいはビーコン強度測定値の少なくとも一部に基づいて前記ユーザデバイスのためのデータレート割り当てを決定するように構成された決定モジュールと、
前記ユーザデバイスに前記データレート割り当てを送信することによって、前記ユーザデバイスが少なくとも１つの非サービングセルに対して生じるＲＬ干渉を制御するように構成された送信機モジュールと
を備える、アクセスポイント。
【請求項６】
モバイル支援リバースリンク（ＲＬ）干渉管理を提供するための装置であって、
ユーザデバイスに少なくとも１つのパイロット強度測定値を要求するための手段と、
前記要求に応答して、前記ユーザデバイスから少なくとも１つのマクロセルパイロット強度測定値またはフェムトセルパイロット強度測定値あるいはビーコン強度測定値を受信するための手段と、
前記少なくとも１つのマクロセルパイロット強度測定値またはフェムトセルパイロット強度測定値あるいはビーコン強度測定値の少なくとも一部に基づいて前記ユーザデバイスのためのデータレート割り当てを決定するための手段と、
前記ユーザデバイスに前記データレート割り当てを送信することによって、前記ユーザデバイスが少なくとも１つの非サービングセルに対して生じるＲＬ干渉を制御するための手段と
を備える、装置。
【請求項７】
少なくとも１つのコンピュータに、
ユーザデバイスに少なくとも１つのパイロット強度測定値を要求することと、
前記要求に応答して、前記ユーザデバイスから少なくとも１つのマクロセルパイロット強度測定値またはフェムトセルパイロット強度測定値あるいはビーコン強度測定値を受信することと、
前記少なくとも１つのマクロセルパイロット強度測定値またはフェムトセルパイロット強度測定値あるいはビーコン強度測定値の少なくとも一部に基づいて前記ユーザデバイスのためのデータレート割り当てを決定することと、
前記ユーザデバイスに前記データレート割り当てを送信することによって、前記ユーザデバイスが少なくとも１つの非サービングセルに対して生じるＲＬ干渉を制御することと
を行わせるためのコードを備えるコンピュータ可読媒体を備える、
コンピュータプログラム製品。
【請求項８】
モバイル支援リバースリンク（ＲＬ）干渉管理を提供するための方法であって、
ソースセルからデータレート割り当てを受信することと、前記データレート割り当ては、パイロット強度測定値またはビーコン強度測定値に基づいて導出される、
前記ソースセルから前記受信したデータレート割り当てに基づいてトラフィック電力レベルまたはデータレート送信のうちの１つまたは複数を調節することによって、少なくとも１つの非サービングセルでのＲＬ干渉を制御することと
を備える、方法。
【請求項９】
前記ソースセルは、フェムトセル、マイクロセル、またはピコセルのうちの１つを備える、
請求項８に記載の方法。
【請求項１０】
前記非サービングセルは、マクロセルを備える、
請求項８に記載の方法。
【請求項１１】
前記データレート割り当ては、ライズオーバサーマル（ＲｏＴ）またはノイズライズ（ＮＲ）のうちの少なくとも１つを備えるしきい値の少なくとも一部にさらに基づく、
請求項８に記載の方法。
【請求項１２】
モバイル支援リバースリンク（ＲＬ）干渉管理を提供するためのユーザ機器であって、
ソースセルからデータレート割り当てを受信するように構成された受信機と、前記データレート割り当ては、パイロット強度測定値またはビーコン強度測定値に基づいて導出される、
前記ソースセルから前記受信したデータレート割り当てに基づいてトラフィック電力レベルまたはデータレート送信のうちの１つまたは複数を調節することによって、少なくとも１つの非サービングセルでのＲＬ干渉を制御するように構成された調整モジュールと
を備える、ユーザ機器。
【請求項１３】
モバイル支援リバースリンク（ＲＬ）干渉管理を提供するための装置であって、
ソースセルからデータレート割り当てを受信するための手段と、前記データレート割り当ては、パイロット強度測定値またはビーコン強度測定値に基づいて導出される、
前記ソースセルから前記受信したデータレート割り当てに基づいてトラフィック電力レベルまたはデータレート送信のうちの１つまたは複数を調節することによって、少なくとも１つの非サービングセルでのＲＬ干渉を制御するための手段と
を備える、装置。
【請求項１４】
少なくとも１つのコンピュータに、
ソースセルからデータレート割り当てを受信することと、前記データレート割り当ては、パイロット強度測定値またはビーコン強度測定値に基づいて導出される、
前記ソースセルから前記受信したデータレート割り当てに基づいてトラフィック電力レベルまたはデータレート送信のうちの１つまたは複数を調節することによって、少なくとも１つの非サービングセルでのＲＬ干渉を制御することと
行わせるためのコードを備えるコンピュータ可読媒体を備える、
コンピュータプログラム製品。
【発明の詳細な説明】
【関連出願】
【０００１】
本特許出願は、本発明の譲渡人に譲渡され、本願に参照により明示的に組み込まれた、「APPARATUS AND METHOD FOR MOBILE ASSISTED REVERSE LINK INTERFERENCE MANAGEMEN」と題された、２０１１年３月１１日に出願された、仮出願第６１／４５２，０１０の優先権を主張する。
【技術分野】
【０００２】
本開示は、一般に、ワイヤレス通信のための装置および方法に関する。特に、本開示は、リバースリンク干渉管理に関する。
【背景技術】
【０００３】
フェムトセル、マイクロセルおよびピコセルは、住宅および企業環境における屋内に典型的に配備された低消費電力セルラ基地局であるほかに音声および高レートデータカバレージを改善し、優れたユーザエクスペリエンスを提供するためのホットスポットである。セルラオペレータは、容量のアップグレードおよびカバレージ改善のために低減されたインフラストラクチャ配備コストからの利益を受ける。性能を改善する一方、フェムトセル、マイクロセル、およびピコセルは、ネットワークにおける他のユーザにいくつかの干渉を引き起しうる。
【０００４】
例えば、フェムトセルユーザは、ホームユーザ機器（ＨＵＥ）またはホームアクセス端末（ＨＡＴ）と呼ばれうる。同様に、マクロネットワークユーザは、ＭＵＥまたはＭＡＴである。フェムトセルは、ホームノードＢ（ＨＮＢ）またはホームアクセスポイント（ＨＡＰ）のいずれかを意味するが、マクロ基地局は、マクロノードＢ（ＭＮＢ）またはマクロアクセスポイント（ＭＡＰ）と呼ばれる。熱雑音比に対する合計の受信信号強度は、ライズオーバサーマル（ＲｏＴ：Rise Over Thermal）またはノイズライズ（noise rise）として定義される。３ＧＰＰ用語に準拠して、マクロセクタは、セルと呼ばれることになる。
【発明の概要】
【０００５】
以下は、１つまたは複数の態様の基本的な理解を与えるために、そのような態様の簡略化された概要を示す。この概要は、考えられるすべての態様の広範囲な概観ではなく、すべての態様の重要要素や判定的要素を識別することも、何れかまたは全ての態様のスコープを線引きすることも意図されていない。その唯一の目的は、後に示されるより詳細な記載に対する前置きとして、簡略化された形式で１つまたは複数の態様のいくつかの概念を表すことである。
【０００６】
モバイル支援されたリバースリンク（ＲＬ）干渉管理を提供するための装置および方法が議論される。１つの態様に従って、モバイル支援されたリバースリンク（ＲＬ）干渉管理を提供するための方法は、ユーザデバイスに少なくとも１つのパイロット強度測定を要求することと、要求に応答して、少なくとも１つのユーザデバイスから少なくとも１つのマクロセルパイロット強度測定値、またはフェムトパイロット強度測定値あるいはビーコン強度測定値を受信することと、少なくとも１つのマクロセルパイロット強度測定値またはフェムトセルパイロット強度測定値あるいはビーコン強度測定値の少なくとも一部に基づいてユーザデバイスのためのデータレート割り当てを決定することと、ユーザ装置にデータレート割り当てを送信することによって、少なくとも１つの非サービングセルに対してユーザデバイスによって生じるＲＬ干渉を制御することとを含む。
【０００７】
別の態様に従って、モバイル支援されたリバースリンク（ＲＬ）干渉管理を提供するためのアクセスポイントは、ユーザデバイスに少なくとも１つのパイロット強度測定を要求するように構成された要求モジュールと、要求に応答して、ユーザデバイスから少なくとも１つのマクロセルパイロット強度測定値またはフェムトセルパイロット強度測定値あるいはビーコン強度測定値を受信するように構成された受信モジュールと、少なくとも１つのマクロセルパイロット強度測定値、またはフェムトセルパイロット強度測定値あるいはビーコン強度測定値の少なくとも一部に基づいてユーザデバイスのためのデータレート割り当てを決定するように構成された決定モジュールと、ユーザ装置にデータレート割り当てを送信することによって、少なくとも１つの非サービングセルに対してユーザデバイスによって生じるＲＬ干渉を制御するように構成された送信機とを含む。
【０００８】
別の態様に従って、モバイル支援されたリバースリンク（ＲＬ）干渉管理を提供するための装置は、ユーザデバイスに少なくとも１つのパイロット強度測定を要求するための手段と、要求に応答して、ユーザデバイスから少なくとも１つのマクロセルパイロット強度測定値またはフェムトセルパイロット強度測定値あるいはビーコン強度測定値を受信するための手段と、少なくとも１つのマクロセルパイロット強度測定値またはフェムトセルパイロット強度測定値あるいはビーコン強度測定値の少なくとも一部に基づいてユーザデバイスのためのデータレート割り当てを決定するための手段と、ユーザ装置にデータレート割り当てを送信することによって、少なくとも１つの非サービングセルに対してユーザデバイスによって生じるＲＬ干渉を制御するための手段とを含む。
【０００９】
別の態様に従って、コンピュータプログラム製品は、少なくとも１つのコンピュータに、ユーザデバイスに少なくとも１つのパイロット強度測定を要求することと要求に応答して、ユーザデバイスから少なくとも１つのマクロセルパイロット強度測定値またはフェムトセルパイロット強度測定値あるいはビーコン強度測定値を受信することと、少なくとも１つのマクロセルパイロット強度測定値またはフェムトセルパイロット強度測定値あるいはビーコン強度測定値の少なくとも一部に基づいてユーザデバイスのためのデータレート割り当てを決定することと、ユーザ装置にデータレート割り当てを送信することによって、少なくとも１つの非サービングセルに対してユーザデバイスによって生じるＲＬ干渉を制御することとを行わせるためのコードを含むコンピュータ可読媒体を含む。
【００１０】
別の態様に従って、モバイル支援されたリバースリンク（ＲＬ）干渉管理を提供するため方法は、ソースセルからのデータレート割り当てを受信することと、ここで、データレート割り当ては、パイロット強度測定値またはビーコン強度測定値に基づいて導出される、ソースセルからのデータレート割り当てに基づいてトラフィック電力レベルまたはデータレート送信のうちの１つまたは複数を調節することによって、少なくとも１つの非サービングセルに対するＲＬ干渉を制御することとを含む。
【００１１】
別の態様に従って、モバイル支援されたリバースリンク（ＲＬ）干渉管理を提供するためユーザ機器は、ソースセルからのデータレート割り当てを受信するように構成された受信機と、ここで、データレート割り当ては、パイロット強度測定値またはビーコン強度測定値に基づいて導出される、ソースセルからのデータレート割り当てに基づいてトラフィック電力レベルまたはデータレート送信のうちの１つまたは複数を調節することによって、少なくとも１つの非サービングセルに対するＲＬ干渉を制御するように構成された調節モジュールとを含む。
【００１２】
別の態様に従って、リバースリンク（ＲＬ）干渉管理を支援したモバイルを提供するため装置は、ソースセルからのデータレート割り当てを受信するための手段と、ここで、データレート割り当ては、パイロット強度測定値またはビーコン強度測定値に基づいて導出される、ソースセルからのデータレート割り当てに基づいてトラフィック電力レベルまたはデータレート送信のうちの１つまたは複数を調節することによって、少なくとも１つの非サービングセルに対するＲＬ干渉を制御するための手段とを含む。
【００１３】
別の態様に従って、コンピュータプログラム製品は、少なくとも１つのコンピュータに、ソースセルからのデータレート割り当てを受信することと、ここで、データレート割り当ては、パイロット強度測定値またはビーコン強度測定値に基づいて導出される、ソースセルからのデータレート割り当てに基づいてトラフィック電力レベルまたはデータレート送信のうちの１つまたは複数を調節することによって、少なくとも１つの非サービングセルに対するＲＬ干渉を制御することとを行わせるためのコードを含むコンピュータ可読媒体を含む。
【００１４】
本開示の利点は、改善された干渉管理によってマクロセルと低消費電力基地局（例えば、フェムトセル、マイクロセル、ピコセルなど）との間のより顕著な互換性を含みうる。
【００１５】
その他の態様も、例示として様々な態様が説明および示される以下の詳細な説明から、当業者にとって容易に明らかになるであろうことが理解される。これら図面および詳細な説明は、本質的に例示的であり、限定的であるとはみなされない。
【図面の簡単な説明】
【００１６】
【図１】フェムトセルとマクロセルとの間の干渉を緩和するために干渉管理システムを有する異種のワイヤレス通信システムの例示の概略図を説明する。
【図２】モバイル支援されたリバースリンク（ＲＬ）干渉管理を提供するための例示のフローチャートを説明する
【図３】ユーザ装置の観点からのモバイル支援されたリバースリンク（ＲＬ）干渉管理を提供するための例示のフローチャートを説明する。
【図４】多くのユーザデバイスをサポートするように構成されたワイヤレス通信システムの例示の図を説明する。
【図５】マクロセル、フェムトセルおよびピコセルを含むワイヤレス通信システムの例示の図を説明する。
【図６】その各々がいくつかのマクロカバレージ領域を含む、いくつかのトラッキング領域（またはルーティング領域あるいはロケーション領域）が定義される場合のカバレージマップの例示を説明する。
【図７】多元接続ワイヤレス通信システムの例示の図を説明する。
【図８】多入力多出力（ＭＩＭＯ）通信システムの例示の概略図を説明する。
【図９】モバイル支援されたリバースリンク（ＲＬ）干渉管理を提供するための例示のデバイスを説明する。
【図１０】ユーザデバイスの観点からのモバイル支援されたリバースリンク（ＲＬ）干渉管理を提供するための例示のデバイスを説明する。
【発明を実施するための形態】
【００１７】
添付図面に関連して以下に記載される詳細な説明は、本開示の様々な態様の説明として意図され、本開示が実現されうる唯一の態様を表すようには意図されない。本開示で説明される各々の態様は、単に、本開示の例または例示として提供され、他の態様に対して、必ずしも好ましいまたは有利であるようには解釈されるべきでない。詳細な説明は、本開示の完全な理解を提供することを目的とした特定の詳細を含む。しかしながら、本開示がこれらの特定の詳細なしで実現されうることは、当業者にとって明らかであろう。いくつかの事例では、周知の構造およびデバイスが、本開示の概念を不明確にすることを避けるためにブロック図形式で示されている。単に利便性および明確性のために、頭文字および他の記述的な用語が使用されうるが、本開示の範囲を限定するようには意図されない。
【００１８】
説明の簡略化の目的のために、方法は一連の動作として説明および示されているが、いくつかの動作は、１つ以上の実施形態に従って、ここで説明および示されるものとは異なる順序で、および／または他の動作と同時に起こり得るので、方法は動作の順序によって限定されないことが理解および認識されるべきである。例えば、当業者であれば、方法が、代替的に、状態図の中でのように、一連の相互に関連のある状態またはイベントとして表されうることを理解および認識するであろう。さらに、１つまたは複数の態様に従って方法を実施するために、必ずしも例示された全ての動作が必要とされる訳ではない。
【００１９】
マクロセルとフェムトセルとの両方を有するワイヤレスシステムでは、フェムトセルユーザは、マクロセルに対して干渉を引き起こす一方で、マクロセルユーザも近くのフェムトセルに干渉しうる。現在のイノベーションでは、モバイル支援されたリバースリンク（ＲＬ）干渉管理方法および装置は、以上で述べられた干渉を緩和するか除去するために開示される。これらの方法は、概して、限定されないが、ＷＣＤＭＡ（登録商標）／ＨＳＰＡ（ＵＭＴＳ）、１ｘＤｏ、ＬＴＥ，ＷｉＭａｘのような様々なワイヤレスシステムに適用されることがある。
【００２０】
１つの例示において、マクロワイヤレスネットワークのような、既存のワイヤレスネットワークは、カバレージ領域および全体的な通信性能を改善するために、低消費電力基地局配備によって補われうる。例えば、低消費電力基地局は、マイクロセル、ピコセル、およびフェムトセルとして知られる。本開示は、フェムトゲートウェイを通じてマクロネットワークに接続する低消費電力であるフェムトセルに言及することになる。しかしながら、本開示に述べられた装置と方法は、さらに他のタイプの低消費電力基地局（例えば、マイクロセル、ピコセルなど）に適用可能でありうる。
【００２１】
様々な態様は、ユーザデバイスに関連して本明細書に記述される。ユーザデバイスは、さらに、システム、加入者ユニット、加入者局、移動局、セルラデバイス、マルチモードデバイス、遠隔局、遠隔端末、アクセス端末、ユーザ端末、ユーザエージェント、ユーザ機器、モバイルデバイス、またはその他同種のものと呼ばれうる。加入者局は、セルラ電話、コードレス電話、セッション開始プロトコル（ＳＩＰ）電話、無線ローカルループ（ＷＬＬ）局、携帯情報端末（ＰＤＡ）、ワイヤレス接続能力を有するハンドヘルドデバイス、または処理デバイスとのワイヤレス通信を容易にするワイヤレスモデムまたは同様のメカニズムに接続された他の処理デバイスであることができる。
【００２２】
図１は、フェムトセル１１０とマクロセル１３０との間の干渉を緩和するために干渉管理（ＩＭ）ユニット１０５を有する異種のワイヤレス通信システム１００の例示の概略図を示す。フェムトセルは、図１に説明されるが、当業者は、説明がマイクロセル、ピコセルなどのような他の低消費電力基地局に適用できることを理解するだろう。
【００２３】
１つの例示において、ＩＭユニット１０５は、フェムトセル１１０、フェムトユーザ機器（ＦＵＥ）１２０、マクロセル１３０、またはマクロユーザ機器（ＭＵＥ）１４０に全体または一部分として存在する。例えば、ＩＭユニット１０５は、アンテナ１１６を通じて送信するトランシーバ１１４を介して通信するためにフェムトセル１１０に存在するそれぞれのコンピューティングプラットフォーム１１２によって実行されうる。ＩＭユニット１０５は、マクロユーザ機器（ＭＵＥ）１４０によってフェムトセル１１０に対して生じたリバースリンク１２２（別名アップリンク）干渉１４５を緩和するために方法を一方的にまたは協力し合って実行する。さらに、ＩＭユニット１０５は、フェムトセルユーザ機器（ＦＵＥ）１２０によってマクロセル１３０に対して生じたリバースリンク干渉を緩和する。さらに、下記が図１に説明される：フェムトセル１１０からフェムトユーザ機器（ＦＵＥ）１２０、マクロセル１３０、マクロユーザ機器（ＭＵＥ）１４０、およびリバースリンク１４２へのフォワードリンク１２１（別名ダウンリンク（ＤＬ））、およびマクロセル１３０とマクロユーザ機器（ＭＵＥ）１４０との間のフォワードリンク１４１。１つの態様では、ＦＵＥ１２０およびＭＵＥ１４０は、ハンドヘルドデバイス（例えば、端末デバイス、モバイルデバイス、セルラ電話、携帯情報端末（ＰＤＡ）デバイスなど）である。本明細書で使用されるように、ＦＵＥとＭＵＥは、フェムトセルユーザおよびマクロセルユーザをそれぞれ表わす。当業者は、本明細書で開示された例示がＦＵＥを使用して説明されるが、（制限はされないが、マイクロセルユーザ、ピコセルユーザなどのような）他のユーザが例示に等しく適用可能であることは理解されるだろう。フェムトセル１１０のカバレージ領域１１８およびマクロセル１３０のカバレージ領域１３８は、さらに、図１に説明される。さらに、用語「アクセス端末」（ＡＴ）がＦＵＥかＭＵＥのいずれかに対して一般に適用でき、ＡＴがＦＵＥまたはＭＵＥのいずれかのために同義的に使用されうることに注意すべきである。
【００２４】
１つの態様では、成功したフェムトセル配備は、リバースリンク（ＲＬ）性能に関する熟慮を要求する。例えば、フェムトセルは、チャレンジングな無線周波数（ＲＦ）干渉に取り組むためにマクロセルとは異なって構成されなければならない。マクロセルとフェムトセルの非同一のカバレージエリアは、フォワードリンク（ＦＬ）送信電力レベルの大きな差、フェムトセルへの制限されたアクセス、アクティブなマクロセルからフェムトセルハンドインへの欠如、および／またはフェムトセルに極めて近接したマクロセルユーザ（例えば、マクロユーザ機器（ＭＵＥ））の存在に起因する。これらは、ＲＬ干渉管理のためのフェムトセル配備のために特化したダイナミック設定を必要とする状況である。
【００２５】
フェムトユーザ機器（ＦＵＥ）のリバースリンク（ＲＬ）データレートは、フェムトセルで観測されたライズオーバサーマル（ＲｏＴ）またはノイズライズ（ＮＲ）レベルに結合されうる。１つの態様では、ＲｏＴは、所与のキャリア上の合計の受信信号強度のノイズフロアに対する比として定義される。観測されたＲｏＴが動作するＲｏＴしきい値を越える場合、関連するユーザのデータレートは、低減されうる。１つの例において、データレート低減は、フェムトセルによってフェムトユーザ機器（ＦＵＥ）に対する特定のレート割り当てを通信すること、またはフォワードリンク（ＦＬ）データレートを決定する入力として使用できるビジーインジケーションをＦＵＥに送ることを通じて取得されうる。１つの態様では、動作するＲｏＴしきい値は、フェムトセルユーザエクスペリエンスに影響を与えるパラメータである。
【００２６】
１つの例において、フェムトセルへのアクセスが制限される場合、フェムトセル配備に近いＭＵＥは、マクロセルによってサービスを受け続けうる。フェムトセルアクセスが制限されない場合でさえ、マクロセルからフェムトセルへのアクティブなハンドオーバがサポートされないことがあるので、呼が維持される限り、既にアクティブ呼である一方でフェムトセル展開に接近するＭＵＥは、マクロセルに留まりうる。ＭＵＥは、遠く離れたマクロセルとリバースリンク（ＲＬ）をクローズするために高い電力レベルで送信しうる（つまりマクロフォワードインク（ＦＬ）カバレージは、非常に大きいので非常に高いＦＬ送信電力レベルになりうる）。その一方で、ＭＵＥは、フェムトセルでの高いライズオーバサーマル（ＲｏＴ）レベルに帰着する、高い干渉をフェムトセルにもたらしうる。別の態様では、マクロセルおよびフェムトセルは、同じまたは近接したキャリア上で動作しうる。例えば、ＭＵＥは、フェムトセルキャリアにリークすることによってフェムトセルでの高いＲｏＴレベルをもたらしうる。同様に、ＦＵＥは、マクロセルキャリアにリークすることによってマクロセルでの高いＲｏＴレベルをもたらしうる。
【００２７】
別の例において、高いＲｏＴオペレーションのために、ＦＵＥは、高いマクロセル干渉を克服するためにその送信電力を大きくする必要がありうる。特にＦＵＥがフェムトセルカバレージ境界でマクロセルへの低いパスロスを有する場合、この高い送信電力は、マクロセルネットワークに干渉を作り出しうる。別の問題は、高いＲｏＴレベルがフェムトセルのＲｏＴしきい値を越える場合、関連するフェムトセルユーザのデータレートが低減しうる。
【００２８】
別の態様において、フェムトセルが高いＲｏＴを経験しそうであるので、１つのアプローチは、ＲｏＴしきい値を増加させることによって高いＲｏＴレベルでフェムトセルを動作させることである。しかしながら、高いＲｏＴレベルがある場合、ＦＵＥは、より高い電力レベルで送信するので、潜在的に近くのマクロセルに影響を与えうる。したがって、ＲＬレート割り当ては、マクロセルへの影響とフェムトセル性能をバランスすることによって決定されなければならない。
【００２９】
１つの態様では、開示される本明細書は、近隣のマクロセルへの影響を与えずにより良いフェムトセルユーザ性能を達成するために、ＲｏＴしきい値および個々のユーザ割り当て（例えば、ＦＵＥのデータ割り当て等）を調節する、モバイル測定値レポート（例えば、パイロット強度レポート）を利用するアルゴリズムである。用語「近隣」は、マクロセルが近隣であると考慮されようとなかろうと、送信電力、干渉レベルエクスペリエンス、アプリケーション、設計選択などのような様々なファクタに依存するので、特定の距離またはロケーションに制限されるべきではないことを当業者は、理解するだろう。
【００３０】
１つの例では、フェムトセルは、あるレポート間隔でアクティブフェムトセルユーザ（例えば、ＦＵＥまたはモバイルデバイスなど）にフェムトセルパイロット強度測定値を要求する。１つの例において、マクロセルが近接チャネル上で動作する場合、フェムトセルビーコンは、同様に送信されうる。この場合、フェムトセルビーコンおよびマクロセルパイロット強度測定値が要求され、レポートされうる。フェムトセルは、ＦＵＥがマクロセル上で作り出す干渉量を評価するためにこれらのパイロット強度レポートを使用しうる。そして、フェムトセルは、マクロセルへの影響を最小限にするシグナリングを通じて、例えば、ＲｏＴレベルに関わらず、適切にＦＵＥのデータレート割り当てを調節しうる。
【００３１】
別の例において、パイロット強度レポートを要求することおよび／または受信することは、終始可能でありうる。また別の例では、パイロット強度レポートを要求することおよび／または受信することは、限定はされないが、フェムトセルがより高い電力レベルで送信し、近隣のマクロセルにより大きなリスクをもたらすことに帰着する、大きなセル外干渉またはフェムトセルでの大きなＲｏＴの存在のようなトリガイベントに基づくことが可能でありうる。１つの例示では、トリガイベントの原因が消えた時点で、パイロット強度レポートを要求することおよび／または受信することが停止される、またはそのレポート間隔が低減されうる。
【００３２】
１つの例示において、フェムトセルによってサービスされるＦＵＥに対して、フェムトセルでの（ｄＢでの）ＲｏＴレベルは、下記のように表されうる  
ＲＯＴｆ＝Ｉｏ，ｆｅｍｔｏ−Ｎｏ，ｆ                式（１）  
ここで、Ｎｏ，ｆは、フェムトセルノイズフロアであり、Ｉｏ，ｆｅｍｔｏは、フェムトセルでの合計の受信信号強度である。
【００３３】
１つの例示において、パケットが復号できるように、要求された信号対雑音比（Ｅｃｐ／Ｉｏ）ｔａｒｇｅｔを達成するパイロット電力レベル、Ｐ、で送信する必要がありうる。以下の式はデシベル（ｄＢ）で表されることに注意せよ。
【００３４】
Ｐ−ＰＬｆ−Ｉｏ，ｆｅｍｔｏ＝（Ｅｃｐ／Ｉｏ）ｔａｒｇｅｔ      式（２）  
ここで、ＰＬｆは、ＦＵＥからフェムトセルへのパスロスである。Ｐは、以下のように書き換えることができる：  
Ｐ＝ＰＬｆ＋ＲｏＴｆ＋Ｎｏ，ｆ＋（Ｅｃｐ／Ｉｏ）ｔａｒｇｅｔ    式（３）
【００３５】
１つの例示において、マクロセルノイズフロアによって規格化された、ＦＵＥ、Ｉｏｃ，ｍａｃｒｏのパイロット信号によって作り出される干渉は、以下のように記載することができる。  
Ｉｏｃ，ｍａｃｒｏ−Ｎｏ，ｍ＝Ｐ−ＰＬｍ−Ｎｏ，ｍ              式（４）  
ここで、Ｎｏ，ｍは、マクロセルノイズフロアであり、ＰＬｍは、ＦＵＥからマクロセルへのパスロスである。別の態様では、近隣のキャリアマクロセル／フェムトセル配備の場合には、あるキャリアから別のキャリアへのリーク率は、ＦＵＥによって干渉計算として説明されうる。Ｐの代わりに、式は、以下のように表される。
【００３６】
Ｉｏｃ，ｍａｃｒｏ−Ｎｏ，ｍ＝（ＰＬｆ  ―ＰＬｍ）＋ＲｏＴｆ＋（Ｎｏ，ｆ−Ｎｏ，ｍ）＋（Ｅｃｐ／Ｉｏ）ｔａｒｇｅｔ                式（５）
【００３７】
別の例において、ＦＵＥによって生じた干渉を計算するために、フェムトセルは、ＦＵＥからフェムトセルおよびマクロセルへのパスロス差を知る必要がある。１つの例示において、この情報は、測定されたＦＬパスロス値および測定されたＲＬパスロス値が同様であるという仮定とともに、マクロセルパイロットおよびフェムトセルパイロットあるいはフェムトセルビーコン強度上のフォワードリンク測定レポート（例えば、パイロット強度レポート）を通じて取得されうる。フォワードリンク、（ＦＬ）上で、Ｐｍ，ＦＬおよびＰｆ，ＦＬは、それぞれマクロセルおよびフェムトセルフォワードリンク（ＦＬ）送信電力に対応する。そして、（Ｅｃｐ／Ｉｏ）ＦＬ，ｍａｃｒｏおよび（Ｅｃｐ／Ｉｏ）ＦＬ，ｆｅｍｔｏは、それぞれマクロセルおよびフェムトセルでのＦＬ信号対雑音比に対応する。フェムトおよびマクロが同じチャネル上で動作すると仮定すると、  
（Ｅｃｐ／Ｉｏ）ＦＬ，ｍａｃｒｏ−（Ｅｃｐ／Ｉｏ）ＦＬ，ｆｅｍｔｏ＝（Ｐｍ，ＦＬ−Ｐｆ，ＦＬ）−（ＰＬｍ−ＰＬｆ）      式（６）  
専用チャネル展開のために、（Ｅｃｐ／Ｉｏ）ＦＬ，ｆｅｍｔｏおよびＰｆ，ＦＬは、対応するビーコン値（Ｅｃｐ／Ｉｏ）ＦＬ，ｂｅａｃｏｎおよびＰｂｅａｃｏｎ，ＦＬによって置き換えられる。
【００３８】
１つの例示として、上記表現の式（６）からパスロス差情報を取得して、マクロセルでの干渉は、下記のように書ける。  
Ｉｏｃ，ｍａｃｒｏ−Ｎｏ，ｍ＝ＲｏＴｆ＋（Ｎｏ，ｆ−Ｎｏ，ｍ）＋
［（（Ｅｃｐ／Ｉｏ）ＦＬ，ｍａｃｒｏ−（ＥＣＰ／ＩＯ）ＦＬ，ｆｅｍｔｏ］−
（Ｐｍ，ＦＬ−Ｐｆ，ＦＬ）＋（Ｅｃｐ／Ｉｏ）ｔａｒｇｅｔ        式（７）
【００３９】
一旦干渉が推定されると、フェムトセルは、どのくらいの追加トラフィック電力でＦＵＥが安全に送信できるかまたは代替としてどのリバースリンクデータレートをＦＵＥが近隣マクロセルにいかなる重大な影響も生じないで使用できるかを決定しうる。その後、トラフィック電力またはリバースリンクデータレート情報は、ＦＵＥに伝えられる。
【００４０】
図２は、モバイル支援リバースリンク（ＲＬ）干渉管理のための例示のフローチャートを説明する。ブロック２１０において、ユーザデバイスにパイロット強度測定値を要求する。ブロック２２０において、要求に応答してユーザデバイスから少なくとも１つのマクロセルパイロット強度測定値またはフェムトセルパイロット強度測定値あるいはビーコン強度測定値を受信する。ブロック２３０において、少なくとも１つのマクロセルパイロット強度測定値またはフェムトセルパイロット強度測定値あるいはビーコン強度測定値に基づいて干渉を推定する。１つの例示において、干渉は、リバースリンク（ＲＬ）干渉である。ブロック２４０において、推定された干渉に基づいてユーザデバイスのデータレート割り当てを調節する。ブロック２４０に続いて、ブロック２５０において、ユーザデバイスにデータレート割り当てを送信する。
【００４１】
図３は、ユーザデバイスの観点からのモバイル支援リバースリンク（ＲＬ）干渉管理を提供するための例示のフローチャートを説明する。ブロック３１０において、ソースセルからデータレート割り当てを受信する。ここで、データレート割り当ては、パイロット強度測定値またはビーコン強度測定値に基づいて導出される。１つの例示において、ソースセルは、マクロセル、フェムトセル、マイクロセルまたはピコセルのうちの１つである。１つ例示において、パイロット強度測定値は、フェムトセルおよびマクロセルからのパイロット強度測定値を含む。ブロック３１０に続いて、ブロック３２０において、ソースセルからの受信データレート割り当てに基づいてトラフィック電力レベルまたはデータレート送信のうちの１つまたは複数を調節する。
【００４２】
例示の説明される本明細書のうちのいくつかは、単一のＦＵＥ、単一のフェムトセル、単一のＭＵＥ、および／または単一のマクロセルに言及しているが、当業者は、説明される例示が本開示の精神または範囲に影響を及ぼさない複数のＦＵＥ、複数のフェムトセル、複数のＭＵＥ、および／または複数のマクロセルを含むように拡張されることを理解するだろう。
【００４３】
図４は、開示する本明細書が実装する、多くのユーザデバイスをサポートするように構成されたワイヤレス通信システムの例示の図を説明する。システム４００は、例えば、マクロセル４０２ａ〜４０２ｇのような、複数のセル４０２に対して通信を提供し、各セルには、対応するアクセスノード４０４（例えば、アクセスノード４０４ａ〜４０４ｇ）によってサービスが提供される。図４に示されるように、ユーザデバイス４０６（例えばユーザデバイス４０６ａ〜４０６ｌ）は、システム全体にわたって様々な位置に経時的に散らばっていうる。各ユーザデバイス４０６は、例えば、ユーザデバイス４０６がアクティブであるか否か、および、ユーザデバイス４０６がソフトハンドオフ中であるか否かに依存して、所定のときに、フォワードリンク（「ＦＬ」）上および／またはリバースリンク（「ＲＬ」）上で、１つまたは複数のアクセスノード４０４と通信しうる。ワイヤレス通信システム４００は、広大な地域（a large geographic region）にサービスを提供する。例えば、マクロセル４０２ａ〜４０２ｇは、近傍の幾つかのブロックをカバーしうる。
【００４４】
図５は、マクロセル、フェムトセルおよびピコセルを含む、ワイヤレス通信システム５００の例示の図を説明する。図５に示される例において、基地局５１０ａ、５１０ｂおよび５１０ｃは、それぞれマクロセル５０２ａ、５０２ｂおよび５０２ｃのためのマクロ基地局でありうる。基地局５１０ｘは、ユーザデバイス５２０ｘと通信するピコセル５０２ｘのためのピコ基地局でありうる。基地局５１０ｙは、ユーザデバイス５２０ｙと通信するフェムトセル５０２ｙのためのフェムト基地局でありうる。簡潔さのために図５に示されないが、マクロセルは、エッジでオーバーラップしうる。ピコセルとフェムトセルは、（図５に示されるように）マクロセル内に位置しうる、またはマクロセルおよび／または他のセル５２０ｚとオーバーラップしうる。
【００４５】
ワイヤレス通信システム５００は、ユーザデバイス５２０ｚと通信する中継局、例えば中継局５１０ｚをさらに含む。中継局は、データの送信および／または他の情報をアップストリーム局から受信し、データの送信および／または他の情報をダウンストリーム局に送信する局である。アップストリーム局は、基地局、別の中継局、またはユーザデバイスでありうる。ダウンストリーム局は、ユーザデバイス、別の中継局、または基地局でありうる。中継局は、さらに他のユーザデバイスのための送信を中継するユーザデバイスでありうる。中継局は、低再利用プリアンブルを送信および／または受信しうる。例えば、中継局は、ピコ基地局と同様の方法で低再利用プリアンブルを送信し、ユーザデバイスと同様の方法で低再利用プリアンブルを受信しうる。
【００４６】
システムコントローラ５３０は、基地局のセットと接続し、これらの基地局のための調整および制御を提供する。システムコントローラ５３０は、単一のネットワークエンティティまたはネットワークエンティティの集合を含みうる。システムコントローラ５３０は、バックホールを介して基地局５１０と通信しうる。バックホールネットワーク通信５３４は、当該分散型アーキテクチャを用いる基地局５１０ａ〜５１０ｃの間のポイントツーポイントを容易にすることができる。基地局５１０ａ〜５１０ｃはまた、例えば、ワイヤレスまたはワイヤラインバックホールを通して、直接的にまたは間接的に、互いに通信してもよい。
【００４７】
ワイヤレス通信システム５００は、（図５に示されない）マクロ基地局のみを含む異種の通信システムでありうる。ワイヤレス通信システム５００は、さらに異なるタイプの基地局、例えば、マクロ基地局、ピコ基地局、ホーム基地局、中継局などを含む異種の通信システムでありうる。これらの異なるタイプの基地局は、ワイヤレスネットワーク５００において、異なる送信電力レベル、異なるカバレージエリア、および干渉に異なる影響を有しうる。例えば、マクロ基地局は、高い送信電力レベル（例えば、２０ワット）を有しうるのに対し、ピコ基地局、フェムト基地局は、より低い送信電力レベル（例えば、１０ワット）を有しうる。ここに記述された技術は、同種および異種の通信システムに使用されうる。
【００４８】
ユーザデバイス５２０は、ワイヤレス通信システム５００の至る所に分散し、各ユーザデバイスは、ステイショナリまたはモバイルでありうる。例えば、ユーザデバイスは、さらにアクセス端末（ＡＴ）、移動局（ＭＳ）、ユーザ機器（ＵＥ）、加入者ユニット、局などと称されうる。さらなる例示で、ユーザデバイスは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局などでありうる。ユーザデバイスは、ダウンリンクおよびアップリンクを介して基地局と通信しうる。ダウンリンク（または、フォワードリンク）は、基地局からＵＥへの通信リンクのことを意味し、アップリンク（または、リーバースリンク）は、ＵＥから基地局への通信リンクのことを意味する。
【００４９】
ユーザデバイスは、マクロ基地局、ピコ基地局、フェムト基地局、および／または他のタイプの基地局と通信することができる。図５において、実線の両矢印は、ユーザデバイスとサービング基地局との間の所望の送信を示す。ここで、サービング基地局は、ダウンリンクおよび／またはアップリンクでＵＥにサービス提供するように設計された基地局である。両方向に矢印がある破線は、ユーザデバイスと基地局との間の干渉送信を示す。干渉する基地局は、干渉がダウンリンク上のユーザデバイスに生じるおよび／またはアップリンク上のユーザデバイスからの干渉を観測する基地局でありうる。
【００５０】
ワイヤレス通信システム５００は、同期または非同期動作をサポートしうる。同期操作に関して、基地局は、同じフレームタイミングを有し、異なる基地局からの送信は、時間で整列されうる。非同期操作に関して、基地局は、異なるフレームタイミングを有し、異なる基地局からの送信は、時間で整列されえない。非同期操作は、全地球測位システム（ＧＰＳ）のような同期ソースにアクセスせず、屋内に配備されうる、ピコ基地局およびフェムト基地局に対して共通でありうる。
【００５１】
１つの態様では、システム容量を改善するために、それぞれの基地局５１０ａ〜５１０ｃに対応するカバレージエリア５０２ａ、５０２ｂ、または５０２ｃは、複数のより小さなエリア（例えばエリア５０４ａ、５０４ｂ、および５０４ｃに分割することができる。より小さなエリア５０４ａ、５０４ｂ、および５０４ｃは、それぞれの基地トランシーバサブシステム（図示されない、ＢＴＳ）によってサービスを提供されることができる。本明細書で使用され、技術において一般的であるように、用語「セクタ」は、使用される用語のコンテキストに依存する基地局および／またはそのカバレージエリアを指すことができる。１つの例示において、セル５０２ａ、５０２ｂ、５０２ｃにおいて、セクタ５０４ａ、５０４ｂ、５０４ｃは、基地局５１０での（図示されない）アンテナのグループによって形成されることができる。ここで、アンテナの各グループは、セル５０２ａ、５０２ｂ、または５０２ｃの一部におけるユーザデバイス５２０との通信を担う。例えば、セル５０２ａをサービスする基地局５１０は、セクタ５０４に対応する第１のアンテナグループと、セクタ５０４ｂに対応する第２のアンテナグループと、セクタ５０４ｃに対応する第３のアンテナグループとを有する。しかしながら、本明細書に開示される様々な態様は、セクタ化されたセルおよび／または非セクタ化されたセルを有するシステムでしようすることができることを理解するべきである。さらに、セクタ化されたセルおよび／または非セクタ化されたセルの任意の数を有するすべての適切なワイヤレス通信ネットワークがここに添付の請求項の範囲内にあるように意図されることを理解するべきである。簡潔さのために、本明細書で使用されるような用語「基地局」は、セクタをサービスする局もセルをサービスする局も両方を指すことができる。本明細書で使用されるように、ここに使用されるように、接続しないリンクシナリオは、近隣セクタであることを理解するべきである。以下の記述は、一般に、各ユーザデバイスが簡潔さのためにあるサービングアクセスポイントと通信するシステムに関するが、ユーザデバイスは、任意の数のサービングアクセスポイントと通信することができることを理解されるべきである。
【００５２】
図６は、いくつかのトラッキングエリア６０２（またはルーティングエリアまたはロケーションエリア）が定義され、そのそれぞれがいくつかのマクロカバレージエリア６０４を含む、カバレージマップ６００の例示を説明する。トラッキングエリア６０２ａ、６０２ｂ、および６０２ｃに関連するカバレージのエリアは、幅広の線により線引きされ、マクロカバレージエリア６０４は、六角形により表されている。トラッキングエリア６０２は、フェムトカバレージエリア６０６をさらに含む。この例では、フェムトカバレージエリア６０６の各々（例えば、フェムトカバレッジエリア６０６ｃ）は、マクロカバレージエリア６０４（例えば、マクロカバレージエリア６０４ｂ）内に示されている。しかしながら、フェムトカバレージエリア６０６は、マクロカバレージエリア６０４内にまるまる位置しているわけではないことが理解されるべきである。実際には、非常に多数のフェムトカバレッジエリア６０６が、所与のトラッキングエリア６０２として、または、マクロカバレッジエリア６０４として定義されうる。さらに、（示していない）１つまたは複数のピコカバレージエリアは、所与のトラッキングエリア６０２内に、またはマクロカバレージエリア６０４内に定義されうる。
【００５３】
１つの例示において、フェムトセルの所有者は、モバイルオペレータコアネットワークを通じて提示される例えば、３Ｇモバイルサービスのようなモバイルサービスに加入しうる。さらに、ユーザデバイス３２０は、マクロ環境と（例えば、住宅用の）小規模ネットワーク環境との両者で動作する。言いかえれば、ユーザデバイスの現在のロケーションに依存して、ユーザデバイスは、マクロセルモバイルネットワークのアクセスノードまたはフェムトセル（例えば、対応するユーザの住宅内に常駐するフェムトセル）のセットのうちの任意の１つによってサービスされうる。例えば、加入者が彼の家の外にいる場合、かれは、標準のマクロアクセスノードによってサービスされ、加入者が家にいる場合、彼は、フェムトセルによってアクセスされうる。フェムトセルが既存のユーザデバイスと後方互換のあることが理解されるべきである。
【００５４】
フェムトセルは、単一の周波数上に配備され、または、代替として、複数の周波数上に配備されうる。特定の構成に依存して、単一の周波数または１つまたは複数の周波数は、マクロセルによって使用される１つまたは複数の周波数とオーバーラップしうる。
【００５５】
いくつかの態様において、ユーザデバイスは、そのような接続が可能な場合は常に、好ましいフェムトセル（例えば、ユーザデバイスのホームフェムトセル）に接続するように構成されうる。例えば、ユーザデバイスがユーザの住宅内にいる場合常に、ユーザデバイスがホームフェムトセルとのみ通信することを望みうる。
【００５６】
幾つかの態様では、ユーザデバイスがマクロモバイルネットワーク内で動作していても、（例えば、好ましいローミングリストで定義されるような）最も好ましいネットワークに在圏していない場合には、ユーザデバイスは、利用可能なシステムを周期的にスキャンしてより良いシステムが現在利用できないかどうかを判断し、その後、そのような好ましいシステムと関連付けるように努めるより良いシステムの再選択（ＢＳＲ：Better System Reselection）を使用して最も好ましいネットワーク（例えば、好まれるフェムトノード）を探索し続ける。収集記入項目（acquisition entry）とともに、ユーザデバイスは、特定の帯域とチャネルのための探索に限定することができる。例えば、最も好ましいシステムの探索は、定期的に繰り返されうる。好ましいフェムトセルの発見に際して、ユーザデバイスは、そのカバレージエリア内に留まるためのフェムトセルを選択しうる。
【００５７】
１つの態様では、フェムトセルは制限されうる。例えば、所与のフェムトセルは、あるユーザデバイスにあるサービスを提供するのみでありうる。いわゆる制限された（またはクローズド）接続で配備されている場合において、所与のユーザデバイスは、マクロセルモバイルネットワークおよび定義されたフェムトセルのセット（例えば、対応するユーザの住宅内に常駐するフェムトセル）によりサービスを受けることができるだけである。
【００５８】
幾つかの態様では、（クローズド加入者グループホームノードＢ（Closed Subscriber Group Home NodeB）とも呼ばれる）制限されたフェムトセルは、制限されて設けられるユーザデバイスのセットにサービス提供するフェムトセルである。必要な場合、このセットは、一時的または永久に拡張されうる。いくつかの態様では、クローズド加入者グループ（「ＣＳＧ」）は、ユーザデバイスの共通アクセス制御リストを共有するアクセスノード（例えば、フェムトセル）のセットとして定義されうる。ある領域の全てのフェムトセル（または全ての制限されたフェムトセル）が動作するチャネルをフェムトチャネルと呼ぶことができる。
【００５９】
したがって、様々な関係は、所与のフェムトセルと所与のユーザデバイスとの間に存在しうる。例えば、ユーザデバイスの観点から、オープンフェムトセルは、関連性が制限されないフェムトセルを指しうる。制限されたフェムトセルは、ある方法で制限された（例えば、関連および／または登録に対して制限された）フェムトセルを指しうる。ホームフェムトセルは、ユーザデバイスがアクセスしその上で動作することを認めるフェムトセルを指しうる。ゲストフェムトセルは、ユーザデバイスがアクセスしその上で動作することを一時的に認められたフェムトセルを指しうる。エイリアンフェムトセルは、ユーザデバイスがおそらく緊急事態（例えば９１１コール）を除いて、アクセスしその上で動作すること認めないフェムトセルを指しうる。
【００６０】
制限されたフェムトセルの観点から、ホームユーザデバイスは、制限されたフェムトセルにアクセスすることを認めたユーザデバイスを指しうる。ゲストユーザデバイスは、制限されたフェムトセルに一時的にアクセスするユーザデバイスを指しうる。エイリアンユーザデバイスは、例えば、９１１コールのような緊急事態を除いて制限されたフェムトセルにアクセスすることが認められないユーザデバイス（例えば、制限されたフェムトセルに登録する資格または許可を有していないユーザデバイス）を指しうる。
【００６１】
便宜上、本明細書の開示は、フェムトセルのコンテキストにおいて様々な機能性について記述する。しかしながら、ピコセル、マイクロセルまたは別の低消費電力基地局がより大きなカバレージエリアに同じまたは同様の機能性を提供することが理解されるべきである。例えば、ピコセルは、制限され、ホームピコセルは、所与のユーザデバイスのために定義されうる。
【００６２】
ワイヤレス多元接続通信システムは、複数のワイヤレスユーザデバイスに対する通信を同時にサポートしうる。上述したように、各ユーザ端末は、フォワードリンク上およびリバースリンク上での送信を介して、１つまたは複数の基地局と通信しうる。フォーワードリンク（またはダウンリンク）は、基地局からユーザデバイスへの通信リンクを意味し、リバースリンク（またはアップリンク）は、ユーザデバイスから基地局への通信リンクを意味する。この通信リンクは、単一入力単一出力システム、多入力多出力（「ＭＩＭＯ」）システム、または他の何らかのタイプのシステムを介して確立されうる。
【００６３】
図７は、多元接続ワイヤレス通信システムの例示の図を説明する。アクセスポイント（ＡＰ）７００は、複数のアンテナグループを含み、１つは７０４および７０６を、他は７０８および７１０を、さらには７１２および７１４を含む。図７では、各アンテナグループに対して２つのアンテナだけが示されているが、各アンテナグループに対して、より多いまたはより少ないアンテナを利用しうる。ユーザデバイス７１６は、アンテナ７１２および７１４と通信する。ここで、アンテナ７１２および７１４は、フォワードリンク７２０を通じて、ユーザデバイス７１６に情報を送信し、リバースリンク７１８を通じて、ユーザデバイス７１６からの情報を受信する。ユーザデバイス７２２は、アンテナ７０６および７０８と通信する。ここで、アンテナ７０６および７０８は、フォワードリンク７２６を通じて、ユーザデバイス７２２に情報を送信し、リバースリンク７２４を通じて、ユーザデバイス７２２から情報を受信する。ＦＤＤシステムでは、通信リンク７１８、７２０、７２４、７２６は、通信のために異なる周波数を使用しうる。例えば、フォワードリンク７２０は、リバースリンク７１８によって使用されるものとは異なる周波数を使用しうる。
【００６４】
通信するように設計されている、アンテナおよび／またはエリアの各グループは、アクセスポイントのセクタとも呼ばれうる。１つの態様では、アンテナグループは、アクセスポイント７００によってカバーされるエリアのうちのセクタ中のユーザデバイスと通信するように設計される。フォワードリンク７２０および７２６による通信では、異なるユーザデバイス７１６および７２２に対するフォワードリンクの信号対雑音比を改善するために、アクセスポイント７００の送信アンテナは、ビームフォーミングを利用する。また、そのカバレージの至る所にランダムに散在されているユーザデバイスに送信するためにビームフォーミングを使用しているアクセスポイントは、そのユーザデバイスのすべてに対して、単一のアンテナを通して送信するユーザデバイスよりも、近隣セルにおけるユーザデバイスに対して、より低い干渉を生じさせる。アクセスポイントは、ユーザデバイスと通信するために使用される固定局であり、ノードＢ、ｅＮｏｄｅＢまたは他の専門用語で呼ばれうる。
【００６５】
ＭＩＭＯシステムは、データ伝送のための複数の（ＮＴ）送信アンテナを用い、複数（ＮＲ）の受信アンテナを用いる。ＮＴ本の送信アンテナおよびＮＲ本の受信アンテナによって形成されるＭＩＭＯチャネルは、ＮＳ個の独立チャネルに分解されてもよく、これを空間チャネルとも呼び、ここでは、ＮＳ≦ｍｉｎ｛ＮＴ、ＮＲ｝である。ＮＳ個の独立チャネルの各々は、次元に対応する。ＭＩＭＯシステムは、複数の送信アンテナおよび受信アンテナによって形成された追加の次元が利用される場合、改善された性能（例えば、より高いスループット、および／または、より高い信頼性）を提供しうる。
【００６６】
ＭＩＭＯシステムは、時分割複信（「ＴＤＤ」）および周波数分割複信（「ＦＤＤ」）をサポートしうる。ＴＤＤシステムでは、相反原理によって、リーバスリンクチャネルからのフォワードリンクチャネルの推定が可能になるように、フォワードおよびリバースリンク送信は同じ周波数領域上でなされる。これによって、複数のアンテナがアクセスポイントにおいて利用可能であるときに、アクセスポイントは、フォワードリンク上の送信ビームフォーミング利得を抽出することができる。
【００６７】
図８は、多入力多出力（ＭＩＭＯ）通信システムの例示の概略図を説明する。特に、図８は、ＭＩＭＯシステム８００のアクセスポイント８１０およびユーザデバイス８５０を説明する。１つの例示において、アクセスポイント８１０は、フェムトセル、マイクロセル、またはピコセルのうちの１つのである。別の例示において、アクセスポイント８１０は、マクロセルである。送信機システム８１０において、多数のデータストリームに対するトラフィックデータは、データソース８１２から送信（「ＴＸ」）データプロセッサ８１４に提供される。
【００６８】
いくつかの態様では、各データストリームは、それぞれの送信アンテナを通じて送信される。ＴＸデータプロセッサ８１４は、そのデータストリームに対して選択された特定のコーディングスキームに基づいて、各データストリームに対するトラフィックデータをフォーマット化し、コード化し、インターリーブして、コード化されたデータを提供する。
【００６９】
各データストリームに対するコード化されたデータは、ＯＦＤＭ技術を使用して、パイロットデータにより多重化されうる。パイロットデータは、一般的に、既知の手法で処理され、チャネル応答を推定するために受信機システムにおいて使用され得る、既知のデータパターンである。そして、各データストリームのための多重化されたパイロットデータとコード化データは、そのデータストリームのために選択された特定の変調方式（たとえば、ＢＰＳＫ、ＱＰＳＫ、Ｍ−ＰＳＫ、またはＭ−ＱＡＭ）に基づいて変調（すなわち、シンボルマッピング）され、変調シンボルが提供される。各データストリームのためのデータレート、コーディング、および変調は、プロセッサ８３０によって実行される命令によって決定され得る。データメモリ８３２は、プロセッサ８３０またはアクセスポイント８１０の他のコンポーネントによって使用される、プログラムコード、データ、および他の情報を記憶しうる。
【００７０】
すべてのデータストリームに対する変調シンボルが、その後、ＴＸ ＭＩＭＯプロセッサ８２０に提供され、ＴＸ  ＭＩＭＯプロセッサ８２０が、（例えば、ＯＦＤＭのために）変調シンボルをさらに処理しうる。ＴＸ  ＭＩＭＯプロセッサ８２０は、その後、ＮＴ個の変調シンボルストリームを、ＮＴ個のトランシーバ（“ＸＣＶＲ”）８２２ａ乃至８２２ｔへ提供する。いくつかの態様では、ＴＸ  ＭＩＭＯプロセッサ８２０は、データストリームのシンボルへ、および、このシンボルの送信がされるアンテナに対してビームフォーミング重みを適用する。
【００７１】
各送信機８２２は、それぞれのシンボルストリームの受信および処理をして１つまたは複数のアナログ信号を提供し、アナログ信号をさらに調整（例えば、増幅、フィルタリング、アップコンバート）してＭＩＭＯチャネルを通じた送信に適した変調シグナルを提供する。そして、送信機８２２ａ〜８２２ｔからのＮＴ個の変調信号は、それぞれ、ＮＴ個のアンテナ８２４ａ〜８２４ｔから送信される。
【００７２】
ユーザデバイス８５０において、変調され送信された信号は、ＮＲ本のアンテナ８５２ａ乃至８５２ｒによって受信され、各８５２ａ乃至８５２ｒからの受信信号は、それぞれのトランシーバ（“ＸＣＶＲ”）８５４ａ乃至８５４ｒに提供される。個々の受信機８５４は、それぞれの受信信号を調整（例えば、フィルタリング、増幅、ダウンコンバート）し、調整された信号をデジタル化してサンプルを提供し、サンプルをさらに処理して対応する「受信」シンボルストリームを提供する。
【００７３】
受信（ＲＸ）データプロセッサ８６０は、その後、ＮR個の受信機８５４からシンボルストリームを受信し、特定の受信機処理技術に基づいて処理し、複数の“検出した”シンボルストリームを提供する。ＲＸデータプロセッサ８６０は、各検出したシンボルストリームを復調し、デインターリーブし、復調して、データストリームに対するトラフィックデータを復元させる。ＲＸデータ処理装置８６０による処理は、アクセスポイント８１０でのＴＸ  ＭＩＭＯプロセッサ８２０およびＴＸデータ処理装置８１４によって実行されたものに対して相補的である。
【００７４】
プロセッサ８７０は、周期的に、どのプレコーディング行列を使用するかを決定する（以下で説明する）。プロセッサ８７０は、行列インデクス部とランク値部とを含む逆方向リンクメッセージを定式化する。データメモリ８７２は、プロセッサ８７０またはユーザデバイス８５０の他のコンポーネントによって使用される、プログラムコード、データ、および他の情報を記憶しうる。
【００７５】
リバースリンクメッセージは、通信リンクおよび／または受信データストリームに関するさまざまなタイプの情報を備えうる。リバースリンクメッセージは、さらにデータソース８３６から多くのデータストリームのためのトラフィックデータを受信するＴＸデータプロセッサ８３８によって処理され、変調器８８０によって変調され、トランシーバ８５４ａ乃至８５４ｒによって調整され、デバイス８１０へと返信される。
【００７６】
アクセスポイント８１０において、ユーザデバイス８５０によって送信されたリバースリンクメッセージを抽出するために、ユーザデバイス８５０からの変調信号は、アンテナ８２４によって受信され、トランシーバ８２２によって調整され、復調器（「ＤＥＭＯＤ」）８４０によって復調され、ＲＸデータプロセッサ８４２によって処理される。プロセッサ８３０は、ビームフォーミング重みを決定するために、どのプリコーディング行列を使用するかを決定して、その後、その抽出したメッセージを処理する。
【００７７】
図８は、さらに通信コンポーネントが本明細書に教示するように干渉制御機能を実行する１つまたは複数のコンポーネントを含むことを説明している。例えば、干渉（「ＩＮＴＥＲ」）制御コンポーネント８９０は、プロセッサ８３０および／またはアクセスポイント８１０の他のコンポーネントと共同して本明細書に教示するように別のデバイス（例えば、ユーザデバイス８５０）と信号の送受信をする。同様に、干渉制御コンポーネント８９２は、別のデバイス（例えば、アクセスポイント８１０）に／から信号を送信／受信するために、プロセッサ８７０および／またはユーザデバイス８５０の他のコンポーネントと協働しうる。各アクセスポイント８１０およびユーザデバイス８５０について、記述されたコンポーネントのうちの２つまたはそれ以上のコンポーネントの機能が単一のコンポーネントによって提供され得ることが理解されるべきである。例えば、単一の処理コンポーネントは、干渉制御コンポーネント８９０およびプロセッサ８３０の機能を提供し、単一の処理コンポーネントは、干渉制御コンポーネント８９２およびプロセッサ８７０の機能を提供しうる。
【００７８】
図９は、モバイル支援リバースリンク（ＲＬ）干渉管理を提供するための例示のデバイス９００を説明する。デバイス９００は、通信デバイスとして、あるいは、通信デバイス内で使用するためのプロセッサまたは類似するデバイスとして、構成されうる。描写されるように、デバイス９００は、プロセッサ、ソフトウェア、ハードウェア、または、これらの組み合わせ（例えば、ファームウェア）によって実現される機能を表すことができる機能的ブロックを含みうる。
【００７９】
説明されるように、デバイス９００は、ユーザデバイスに少なくとも１つのパイロット強度測定値を要求するための電気的コンポーネント９１０を含みうる。デバイス９００は、要求に応じてユーザデバイスからの少なくとも１つのマクロセルパイロット強度測定値またはフェムトセルパイロット強度測定値あるいはビーコン強度測定値を受信するための電気的コンポーネント９２０を含みうる。デバイス９００は、少なくとも１つのパイロット強度測定値またはフェムトパイロット強度測定値あるいはビーコン強度測定値の少なくとも一部に基づいてユーザ機器のためのデータレート割り当てを決定するための電気コンポーネントを含みうる。デバイス９００は、ユーザ機器にデータレート割り当てを送信することによって、ユーザ機器が少なくとも１つの非サービングに対して生じるＲＬ干渉を制御するための電気コンポーネント９４０を含みうる。
【００８０】
デバイス９００は、オプションとして、少なくとも１つのプロセッサを有するプロセッサモジュール９０２を含みうる。１つの態様では、デバイス９００は、プロセッサではなく、通信ネットワークエンティティとして、構成されうる。このようなケースでは、プロセッサ９０２は、バス９０４を介して、または、類似する通信接続を介して、電気的コンポーネント９１０〜９４０と動作可能に通信しうる。プロセッサ９０２は、電気的コンポーネント９１０〜９５０によって実行されるプロセスまたは機能の開始ならびにスケジューリングをもたらしうる。
【００８１】
関連する態様では、デバイス９００は、トランシーバモジュール９０６を含みうる。スタンドアローン受信機および／またはスタンドアローン送信機は、トランシーバモジュール９０６の代わりに、または、トランシーバモジュール９０６とともに、使用されうる。さらなる関連する態様では、デバイス９００は、オプションとして、例えば、メモリモジュール９０８のような、情報を記憶するモジュールを含みうる。メモリモジュール９０８は、コンピュータ可読媒体を含んでもよく、バス９０４またはこれに類するものを介して、デバイス９００の他のコンポーネントに動作可能に接続してもよい。メモリモジュール９０８は、電気的コンポーネント９１０〜９４０の処理および振る舞い、およびそれらの上またはプロセッサ９０２のサブコンポーネント、または開示される本明細書の方法を達成するためのコンピュータ可読コード、命令、および／またはデータを格納するように適合されうる。メモリモジュール９０８は、電気的コンポーネント９１０〜９４０に関係する機能を実行するためのコード／命令を保持しうる。メモリモジュール９０８の外部にあるものとして示されているが、電気的コンポーネント９１０〜９４０がメモリモジュール９０８内に存在してもよいことを理解すべきである。
【００８２】
図１０は、ユーザデバイスの観点からのモバイル支援リバースリンク（ＲＬ）干渉制御を提供する。デバイス１０００は、通信デバイスとして、またはユーザデバイス内で使用するためのプロセッサまたは類似のデバイスとして構成されうる。描写されるように、デバイス１０００は、プロセッサ、ソフトウェア、ハードウェア、または、これらの組み合わせ（例えば、ファームウェア）によって実現される機能を表すことができる機能的ブロックを含んでもよい。
【００８３】
説明されるように、デバイス１０００は、ソースセルからデータレート割り当てを受信するための電気的コンポーネント１０１０を含みうる。ここで、データレート割り当ては、パイロットまたはビーコン強度測定値に基づいて導出されうる。１つの例示において、ソースセルは、フェムトセル、マイクロセル、またはピコセルのうちの１つである。１つの例示において、パイロットまたはビーコン強度測定値は、フェムトセルおよびマクロセルからのパイロットまたはビーコン強度測定値を含む。デバイス１０００は、ソースセルから受信データレート割り当てに基づいてトラフィック電力レベルまたはデータレート送信のうちの１つまたは複数を調整することによって、少なくとも１つの非サービングセルへのＲＬ干渉を制御するための電気的コンポーネント１０２０を含みうる。
【００８４】
デバイス１０００は、オプションとして、少なくとも１つのプロセッサを有するプロセッサモジュール１００２を含みうる。１つの態様では、デバイス１０００は、プロセッサではなく、通信ネットワークエンティティとして、構成されうる。このようなケースでは、プロセッサ１００２は、バス１００４を介して、または、類似する通信接続を介して、電気的コンポーネント１０１０〜１０２０と動作可能に通信しうる。プロセッサ１００２は、電気的コンポーネント１０１０〜１０２０によって実行されるプロセスまたは機能の開始ならびにスケジューリングをもたらしうる。
【００８５】
関連する態様では、デバイス１０００は、トランシーバモジュール１００６を含みうる。スタンドアローン受信機および／またはスタンドアローン送信機は、トランシーバモジュール１００６の代わりに、または、トランシーバモジュール１００６とともに、使用されてもよい。さらなる関連する態様では、デバイス１０００は、オプションとして、例えば、メモリモジュール１００８のような、情報を記憶するモジュールを含みうる。メモリモジュール１００８は、コンピュータ可読媒体を含んでもよく、バス１００４またはこれに類似するものを介して、デバイス１０００の他のコンポーネントに動作可能に接続してもよい。メモリモジュール１００８は、電気的コンポーネント１０１０−１０４０の処理および振る舞い、およびそれらの上またはプロセッサ１００２のサブコンポーネント、または開示される本明細書の方法を達成するためのコンピュータ可読コード、命令、および／またはデータを格納するように適合されうる。メモリモジュール１００８は、電気的コンポーネント１０１０−１０２０に関連する機能を実行するためのコード／命令を保持しうる。メモリモジュール１００８の外部にあるものとして示されているが、電気的コンポーネント１０１０〜１０２０がメモリモジュール１００８内に存在してもよいことを理解すべきである。
【００８６】
当業者は、図２中および図３中の例示的なフローチャートにおいて開示したステップが、本開示の範囲および精神から逸脱することなく、それらの順序を交換可能であることを理解するだろう。さらに、当業者であれば、このフローチャート内で例示されているステップは限定的ではなく、その他のステップも含まれうるか、あるいは、このフローチャートの例におけるステップのうちの１つまたは複数が、本開示の範囲および精神に悪影響を与えることなく削除されうることを理解するであろう。
【００８７】
当業者は、ここに開示された例に関連して説明された様々な例示的なコンポーネント、論理ブロック、モジュール、回路、および／またはアルゴリズムステップが、電子ハードウェア、ファームウェア、コンピュータソフトウェア、あるいはこれらの組み合わせとして実施されうることをさらに理解するであろう。ハードウェア、ファームウェア、およびソフトウェアの相互置換性を明確に例示するために、例示的なさまざまな構成要素、ブロック、モジュール、回路、および／または、アルゴリズムステップが、それらの機能の観点から一般的に記述された。それら機能がハードウェア、ファームウェア、またはソフトウェアとして実現されるかは、特定のアプリケーションおよびシステム全体に課せられている設計制約に依存する。当業者であれば、特定のアプリケーションのおのおのに応じて変化する方式で、上述した機能を実現することができる。しかしながら、この適用判断は、本発明の範囲または精神からの逸脱をもたらすものと解釈されるべきではない。
【００８８】
例えば、ハードウェアインプリメンテーションについては、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、ここに説明された機能を実行するように設計されたその他の電子ユニット、あるいはこれらの組み合わせ内で実装されうる。ソフトウェアを用いた場合、実施は、本明細書に説明された機能を実行するモジュール（例えば、プロシージャ、機能等）を通じて行われうる。ソフトウェアコードは、メモリユニット内に格納され、プロセッサによって実行されうる。さらに、本明細書で記載された例示的なさまざまなフロー図、論理ブロック、モジュール、および／または、アルゴリズムステップはまた、当該技術で周知の任意のコンピュータ読取可能媒体で伝送されるコンピュータ読取可能命令群としてコード化されるか、あるいは、当該技術で周知の任意のコンピュータプログラム製品で実現されうる。１つの態様では、コンピュータ可読媒体は、非一時的なコンピュータ可読媒体を含む。
【００８９】
１つまたは複数の例示において、本明細書で説明したステップまたは機能は、ハードウェアで、ソフトウェアで、ファームウェアで、または、これらのものを組み合わせた任意のもので実現しうる。ソフトウェアで実現される場合、これら機能は、コンピュータ可読媒体上に格納されるか、あるいは、コンピュータ可読媒体上の１つまたは複数の命令群またはコードとして送信されうる。コンピュータ可読媒体は、コンピュータ記憶媒体と通信媒体との両方を含む。これらは、コンピュータプログラムのある場所から別の場所への転送を容易にする任意の媒体を含む。記憶媒体は、コンピュータによってアクセスされうる利用可能な任意の媒体である。限定ではなく例として、そのようなコンピュータ可読媒体は、ＲＡＭ、ＲＯＭ、ＥＥＰＲＯＭ、ＣＤ−ＲＯＭもしくは他の光学ディスク記憶媒体、磁気ディスク記憶媒体もしくは他の磁気記憶デバイス、もしくは命令あるいはデータ構造の形態で望ましいプログラムコードを搬送もしくは格納するために使用され、コンピュータによってアクセスされる任意の他の媒体を含みうる。さらに、いかなる接続も、コンピュータ可読媒体と適切に称される。同軸ケーブル、光ファイバケーブル、ツイストペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバケーブル、ツイストペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクトディスク（ＣＤ）、レーザ・ディスク、光ディスク、デジタルバーサタイルディスク（ＤＶＤ）、フロッピー（登録商標）ディスク、およびブルーレイディスクを含む。これらｄｉｓｃは、レーザを用いてデータを光学的に再生する。それに対して、ｄｉｓｋは、通常、データを磁気的に再生する。上記の組み合わせもまた、コンピュータ読取可能媒体の範囲内に含まれるべきである。
【００９０】
開示された態様の先の説明は、いかなる当業者であっても、本開示を製造または使用できるように提供される。これらの態様へのさまざまな変形は、当業者に容易に明らかであって、本明細書で定義された一般原理は、本開示の精神または範囲から逸脱することなく、他の態様に適用されうる。
【図１】
2014514803.tif 000003
【図２】
2014514803.tif 000004
【図３】
2014514803.tif 000005
【図４】
2014514803.tif 000006
【図５】
2014514803.tif 000007
【図６】
2014514803.tif 000008
【図７】
2014514803.tif 000009
【図８】
2014514803.tif 000010
【図９】
2014514803.tif 000011
【図１０】
2014514803.tif 000012
【国際調査報告】
2014514803.tif 000013
2014514803.tif 000014
2014514803.tif 000015